【事件の表示】
　特許第２８３８７６１号　「カメラ用制御回路」の特許に対する特許異議の申立てについて、次のとおり決定する。
【結　論】
　訂正を認める。
　特許第２８３８７６１号の請求項１に係る特許を維持する。
【理　由】
【1】手続の経緯
　本件の特許第2838761号は、平成6年3月16日(優先日平成5年8月11日)に出願され、平成10年10月16日にその設定登録がなされ、その後、申立人 オリンパス光学工業株式会社より特許異議申立がなされ、取消理由通知がなされ、その指定期間内である平成11年10月19日に訂正請求がなされたものである。
　
【2】訂正の適否についての判断
《2-1》訂正の要旨
　特許権者が求めている訂正の内容は、以下のA〜Cのとおりである。
訂正事項A:
　特許請求の範囲の請求項1中の「アナログ信号を扱うアナログ回路」を特許請求の範囲の減縮を目的として、「アナログ信号を扱いトランジスタを制御して近赤外投光素子をパルス駆動すると共に被写体からの反射光を1次元半導体受光素子で受光した光信号を距離情報に変換する測距回路」と訂正する。
訂正事項B:
　特許請求の範囲の請求項1中の「前記アナログ回路」を特許請求の範囲の減縮を目的として、「前記測距回路」と訂正する。
訂正事項C:
　訂正事項A、Bの訂正に伴い、特許請求の範囲と発明の詳細な説明の記載との整合を図るため、明りようでない記載の釈明を目的として、
　特許明細書段落番号【0006】内の「アナログ回路部の性能」と「アナログ回路部とで電源」を、それぞれ「アナログ回路(測距回路)部の性能」と「アナログ回路(測距回路)部とで電源」に訂正し、
　特許明細書段落番号【0008】内の「アナログ回路部とを1つの」と「アナログ回路部には」を、それぞれ「アナログ回路(測距回路)部とを1つの」と「アナログ回路(測距回路)部には」に訂正し、
　特許明細書段落番号【0020】内の「アナログ回路の電源」と「アナログ回路の性能」を、それぞれ「アナログ回路(測距回路)の電源」と「アナログ回路(測距回路)の性能」に訂正する。
　
《2-2》訂正の目的の適否、新規事項の有無及び拡張・変更の存否
　上記訂正事項A、Bは願書に添付した明細書及び図面に記載した事項の範囲内で特許請求の範囲の減縮を目的とするものであり、上記訂正事項Cは願書に添付した明細書及び図面に記載した事項の範囲内でする明りょうでない記載の釈明を目的とするものである。そして、これらの訂正は実質上特許請求の範囲を拡張し、又は変更するものでもない。
　
《2-3》独立特許要件の判断
《2-3-1》本件発明
　訂正後の請求項1に係る発明は、訂正明細書の特許請求の範囲の請求項1に記載されたとおりの以下のものである。
　「カメラに接続された電源と、前記電源で動作しデジタル信号を扱うデジタル回路と、前記電源で動作し前記電源の電圧よりも低い所定の電圧を出力するレギュレータと、前記レギュレータの出力を電源として動作するアナログ信号を扱いトランジスタを制御して近赤外投光素子をパルス駆動すると共に被写体からの反射光を1次元半導体受光素子で受光した光信号を距離情報に変換する測距回路とを有し、前記デジタル回路と前記レギュレータと前記測距回路とは同一の集積回路上に形成されていることを特徴とするカメラ用制御回路。」(以下、「本件発明」という。)
　
《2-3-2》先願
　当審が発した取消理由通知書において引用した特願平5-136149号(特開平6-347263号)は、本件の出願の日前の特許出願であり、本件の特許出願後に出願公開されたものである。以下特願平5-136149号の特許出願を「先願」という。なお、上記先願の願書に最初に添付された明細書及び図面は、異議申立人が提示した甲第1号証に対応する。
　この先願の明細書及び図面に開示された発明はCMOSアナログ回路を使用したカメラの制御部、特に測距装置を備えたものに関するものであり、以下の事項が開示されている。
[1]「そこで、本実施例では、トランジスタQ1のドレイン端子を電池の出力に直結するように構成し、測定制御系の電源(Vcc2)と分離している。」(【0036】第13行~第16行参照)、半導体基板Aに供給される上記測定制御系の電源Vcc2(図2)、及びトランジスタQ1のドレイン端子に接続された電池(図3)。
[2]「まず、1つの基板上Aに形成される測距装置全体を制御する、CPU及び周辺装置(μ‐comコア)からなるマイクロコンピュータ(以下、マイコンと称する)1」(【0032】第1行~第4行参照)、及びコンデンサC2の両端に測定制御系の電源電圧Vcc2が発生し、これが上述のCPU及び周辺装置に供給されること(図2)。
[3]「トランジスタQ153,Q154,Q155,Q156,Q157,Q158,Q159,抵抗R63,C8からなるオペアンプと抵抗R66とトランジスタQ150からなるバンドギャップ基準電圧回路と分圧抵抗R64,R65から構成される測距回路用安定化電源回路とから構成されている。」(【0098】第10行~第14行参照)
[5]「図15に示される様にコンデンサC2の電圧は測距回路用低電圧源Vcc3に充分保持可能な程度に昇圧される。」(【0105】第4行~第6行参照)、及びチップイネーブル回路15のトランジスタQ159のドレイン電極に接続されたCN56から1.9Vの電源電圧が出力されること(図14)。
[6]「まず、このプリアンプ回路9において、電源ラインがノードCN7によって一定電圧Vcc3(=1.9V)で固定されている。」(【0047】第1行~第 3行参照)、及びアナログ回路であるプリアンプ回路9に対して電源電圧Vcc3が供給されること(図4)。
[7]「まず、1つの基板上Aに形成される測距装置全体を制御する、CPU及び周辺装置(μ‐comコア)からなるマイクロコンピュータ(以下、マイコンと称する)1」(【0032】第1行~第4行参照)、並びにデジタル回路であるCPU及び周辺装置1、電圧Vcc3を発生する測距回路用安定化電源回路を内蔵するチップイネープル回路15、及びアナログ回路であるプリアンプ回路9が同一基板A上に形成されていること(図2)。
[8]「以上のような理由から、高集積化を損なわず、アーリー電圧の影響を受けず、且つ低電圧で動作可能なMOSアナログ回路を得るため、微小信号検出回路の電圧は一定電圧値で固定するように構成し、電源電圧変動に影響されにくい測距回路を実現している。」(【0050】第1行~第5行参照)
　
《2-3-3》対比・判断
　本件発明と先願の明細書等に記載された発明とは、共にカメラ用制御回路であって、カメラに接続された電源、前記電源で動作しデジタル信号を扱うデジタル回路、前記電源で動作し前記電源の電圧よりも低い所定の電圧を出力するレギュレータ、及び 前記レギュレータの出力を電源として動作するアナログ信号を扱うアナログ回路である測距回路を有するものであって、さらに 前記デジタル回路と前記レギュレータと前記アナログ回路とは同一の集積回路上に設けられるものであるから、両者は
　「カメラに接続された電源と、前記電源で動作しデジタル信号を扱うデジタル回路と、前記電源で動作し前記電源の電圧よりも低い所定の電圧を出力するレギュレータと、前記レギュレータの出力を電源として動作するアナログ信号を扱う測距回路とを有し、前記デジタル回路と前記レギュレータと前記測距回路とは同一の集積回路上に形成されていることを特徴とするカメラ用制御回路。」の点で一致する。
　そして、本件発明の測距回路は「トランジスタを制御して近赤外投光素子をパルス駆動すると共に被写体からの反射光を1次元半導体受光素子で受光した光信号を距離情報に変換する」のに対し、先願の明細書に記載された発明の測距回路は「トランジスタを制御して近赤外投光素子をパルス駆動する」ことを行っていない点で相違する。この相違は、デジタル回路が動作しているときのアナログ回路(測距回路)の性能に影響するものであり、実質的な構成上の相違である。
　よって、本件発明が先願の明細書及び図面に記載された発明と同一であるとは認められない。
　
《2-4》むすび
　以上のとおりであるから、上記訂正は、特許法第120条の4第2項及び同条第3項で規定する訂正について、平成6年法律第116号附則第6条第1項の規定により、なお従前の例によるとされる、改正前の特許法第126条第1項ただし書き、同条第2項及び同条第3項の規定に適合するので、当該訂正を認める。
　
【3】特許異議の申立てについての判断
《3-1》申立ての理由の概要
　異議申立人 オリンパス光学工業株式会社は、特許第2838761号の請求項1に係る発明は、甲第1号証として提示された特願平5-136149号(特開平6-347263号)の明細書及び図面に記載された発明と同一であるから、特許法第29条の2第1項の規定に違反して特許されたものである旨主張している。
　
《3-2》本件発明と先願の明細書に記載された発明との対比・判断
　特許第2838761号の、訂正後の請求項1に係る発明は上記《2-3》独立特許要件の判断《2-3-1》に記載したとおりであり、特願平5-136149号の明細書及び図面に記載された事項は上記《2-3》独立特許要件の判断《2-3-2》に記載したとおりであるから、上記《2-3》独立特許要件の判断《2-3-3》に記載した理由と同じ理由で本件の訂正後の請求項1に係る発明が、特願平5-136149号の明細書及び図面に記載された発明と同一であるとは認められない。
　
《3-3》むすび
　以上のとおりであるから、特許異議申立の理由及び証拠方法によっては、本件の請求項１に係る発明の特許を取り消すことはできない。
　また、他に本件の請求項１に係る発明の特許を取り消すべき理由を発見しない。
　よって、結論のとおり決定する。
【異議決定日】
平成１２年２月２１日（２０００．２．２１）
【訂正の要旨】
訂正の要旨　
　特許第２８３８７６１号（平成６年３月１６日出願（優先日平成５年８月１１日）、平成１０年１０月１６日設定登録）の願書に添付した明細書を、特許請求の範囲の減縮及び明りょうでない記載の釈明を目的として、訂正請求書（請求平成１１年１０月１９日）に添付した訂正明細書のとおり、すなわち、次のＡ〜Ｃ．のとおり訂正する。
訂正事項Ａ：
　特許請求の範囲の請求項１中の「アナログ信号を扱うアナログ回路」を特許請求の範囲の減縮を目的として、「アナログ信号を扱いトランジスタを制御して近赤外投光素子をパルス駆動すると共に被写体からの反射光を１次元半導体受光素子で受光した光信号を距離情報に変換する測距回路」と訂正する。
訂正事項Ｂ：
　特許請求の範囲の請求項１中の「前記アナログ回路」を特許請求の範囲の減縮を目的として、「前記測距回路」と訂正する。
訂正事項Ｃ：
　訂正事項Ａ、Ｂの訂正に伴い、特許請求の範囲と発明の詳細な説明の記載との整合を図るため、明りょうでない記載の釈明を目的として、特許明細書段落番号【０００６】内の「アナログ回路部の性能」と「アナログ回路部とで電源」を、それぞれ「アナログ回路（測距回路）部の性能」と「アナログ回路（測距回路）部とで電源」に訂正し、
　特許明細書段落番号【０００８】内の「アナログ回路部とを１つの」と「アナログ回路部には」を、それぞれ「アナログ回路（測距回路）部とを１つの」と「アナログ回路（測距回路）部には」に訂正し、
　特許明細書段落番号【００２０】内の「アナログ回路の電源」と「アナログ回路の性能」を、それぞれ「アナログ回路（測距回路）の電源」と「アナログ回路（測距回路）の性能」に訂正する。
（５４）【発明の名称】
カメラ用制御回路
（５７）【特許請求の範囲】
　【請求項１】
　カメラに接続された電源と、前記電源で動作しデジタル信号を扱うデジタル回路と、前記電源で動作し前記電源の電圧よりも低い所定の電圧を出力するレギュレータと、前記レギュレータの出力を電源として動作するアナログ信号を扱
いトランジスタを制御して近赤外投光素子をパルス駆動すると共に被写体からの反射光を１次元半導体受光素子で受光した光信号を距離情報に変換する測距回路
測距
　【請求項２】
　カメラに接続された電源と、前記電源で動作しデジタル信号を扱うデジタル回路と、前記電源の電圧よりも低い所定の電圧を出力するレギュレータと、前記レギュレータの出力を電源として動作するアナログ信号を扱うアナログ回路と、前記レギュレータの出力をオンまたはオフするためのスイッチ手段とを有し、前記デジタル回路と前記レギュレータと前記アナログ回路とは同一の集積回路上に形成されていることを特徴とするカメラ用制御回路。
【発明の詳細な説明】
　【０００１】
　【産業上の利用分野】
　本発明は、カメラ用制御回路に関するものである。
　【０００２】
　【従来の技術】
　従来、カメラを構成する回路には、演算回路などのデジタル回路と測光あるいは測距を行うアナログ回路とが混在しており、両者は異なる集積回路上に形成されていた。このためデジタル回路とアナログ回路のインタフェース回路を要し、結果的に多くのスペースが必要となり、小型化を旨とするカメラにとって非常に不利なものとなってしまう。
　【０００３】
　そこで本出願人は特開平１−２５８４５９号公報の中で、Ｃ−ＭＯＳ（ｃｏｍｐｌｅｍｅｎｔａｌｙ　ＭＯＳ−ＦＥＴの略）集積回路（以下単に集積回路という）でデジタル信号を扱うマイクロコンピュータなどのデジタル回路と、アナログ信号を扱う測距回路や測光回路などのアナログ回路とを１つのチップ内に構成し、それぞれの電源を共通で使用することを提案した。
　【０００４】
　この集積回路においては、デジタル回路が発生する電波的なノイズによってアナログ回路が影響を受けないように、デジタル回路部あるいはその制御線とアナログ回路部とを離して配置することによって、ノイズに対するアナログ回路の性能の低下を防いでいる。さらに電解コンデンサを集積回路の外に接続し、電源電圧の変動を抑えている。
　【０００５】
　【発明が解決しようとする課題】
　上記のようにノイズ対策をしていても、アナログ回路が微小信号を処理する回路の場合、デジタル回路の動作によって電源が変動するとアナログ回路の性能は低下してしまう。また電解コンデンサやレギュレータを外部に接続するとそのための実装スペースを必要とするので、スペース的にも不利である。
　【０００６】
　【課題を解決するための手段】
　デジタル回路の動作によって電源が変動してもアナログ回路
（測距回路）
（測距回路）
　【０００７】
　またレギュレータの出力をオンまたはオフするためのスイッチ手段を設け、デジタル回路の電源が大きく変動する場合にはアナログ回路部への電源供給を断つことで、アナログ回路への影響を最小限にとどめる。
　【０００８】
　【作用】
　デジタル回路部とアナログ回路
（測距回路）
（測距回路）
　【０００９】
　【実施例】
　以下、本発明の詳細を図１に従って説明する。電池１はカメラの電源であり、電池１にはたとえば公称電圧３Ｖのリチウム電池が使用される。電池１の両端には昇圧回路１０が接続されており、昇圧回路１０は公知のチョッパ型昇圧回路をなすコイル１１、トランジスタ１２、ダイオード１３、コンデンサ１４、およびこの回路の昇圧電圧を検出し、昇圧を開始または停止するコンパレータ１５、発振器１６、抵抗１８、抵抗１９とからなる。昇圧回路１０の出力電圧ＶｓはＩＣ２０に導かれる。
　【００１０】
　ＩＣ２０は１チップの集積回路で、マイクロコンピュータ２１、レギュレータ２２、測距回路２３、測光回路２４を内蔵する。測距回路２３はトランジスタ２５を制御して近赤外投光素子（以下ＩＲＥＤという）２６を定電流駆動すると共に、１次元半導体受光素子（以下ＰＳＤという）２７で受光した光信号を距離情報に変換しマイクロコンピュータ２１に出力する。測光回路２４には光センサ（硫化カドミウムが使用される。以下ＣｄＳという）２８が接続され、被写体の輝度を測定し輝度信号に変換してマイクロコンピュータ２１に出力する。
　【００１１】
　シャッタ駆動回路３０はＶｓを電源としマイクロコンピュータ２１の信号に従ってシャッタ３１を構成するステップモータを制御し、不図示の公知のセクタを開閉し撮影を行う。直流モータ駆動回路４０はＶｅを電源としマイクロコンピュータ２１の信号に従って直流モータ４１を制御し、スプロケット４２を回転してフィルムを巻き上げる。
　【００１２】
　次にこの回路の動作について説明する。カメラの電源が投入されると、電池１はコイル１１、ダイオード１３を通してマイクロコンピュータ２１に電源を供給する。マイクロコンピュータ２１に供給される電圧が所定の電圧Ｖ０（たとえば２．４Ｖ）を超えるとマイクロコンピュータ２１は動作を開始する。マイクロコンピュータ２１はまずコンパレータ１５に基準電圧Ｖ１を出力する。コンパレータ１５は、電圧Ｖｓを抵抗１８と抵抗１９とで分圧した電圧Ｖｄと、電圧Ｖ１とを比較し、電圧Ｖ１の方が高い場合にハイ（”Ｈ”）レベルの信号を出力する。アンドゲート１７はこの信号と発振器１６の出力との論理積を取りトランジスタ１２を駆動する。すなわち、電圧Ｖｄが電圧Ｖ１よりも低い場合にトランジスタ１２に発振器１６の出力が入力され昇圧が行われる。電圧Ｖｄが電圧Ｖ１よりも高い場合は各回路に十分高い電圧が供給されている時であり、コンパレータ１５はロー（”Ｌ”）レベルの信号を出力するため、昇圧は行われない。このようにして昇圧された電圧Ｖｓ（たとえば５．０Ｖ）はコンデンサ１４に蓄えられ、後段の回路に出力される。
　【００１３】
　続いて露出作動に入ると、マイクロコンピュータ２１は撮影動作を開始し、コンパレータ１５に電圧Ｖ１よりも高い電圧Ｖ２を出力し、昇圧電圧Ｖｓを（たとえば５．５Ｖに）上げる。続いてレギュレータ２２をオンし、後段の測距回路２３および測光回路２４に電源を供給する。
　【００１４】
　次にマイクロコンピュータ２１は測距回路２３にコマンドを送り、トランジスタ２５を制御してＩＲＥＤ２６をパルス駆動すると共に、被写体からの反射光をＰＳＤ２７によって受光し被写体までの距離を電気信号に変換する。マイクロコンピュータ２１はこの距離信号から被写体までの距離を算出し、コンパレータ１５に電圧Ｖ１を出力する。そしてマイクロコンピュータ２１は測光回路２４にコマンドを送り、ＣｄＳ２８から被写体の輝度を輝度信号に変換する。マイクロコンピュータ２１はこの輝度信号から被写体の輝度を算出する。そしてマイクロコンピュータ２１は以上の作動により算出された距離および輝度とから選択される最適な露出プログラムに従ってシャッタ駆動回路３０を制御し、シャッタ３１を駆動し、露出作動を行う。露出が終わると昇圧回路１０を制御し、直流モータ４１を駆動してスプロケット４２を回転しフィルム４３を１駒分巻き上げる。上記の一連の撮影動作が終了すると、マイクロコンピュータ２１はレギュレータ２２をオフする。
　【００１５】
　撮影動作時のタイミングチャートを図２に示す。露出作動に入る前はレギュレータ２２はオフしており（図２のａ−ｂ）、内部の測距回路２３と測光回路２４とは動作しない。一方マイクロコンピュータ２１により昇圧電圧Ｖｓは所定電圧Ｖ１に制御され、マイクロコンピュータ２１は所定電圧Ｖ１で動作する。マイクロコンピュータ２１内部の測距回路２３と測光回路２４とがオフからオンに移行するときは（図２のｂ）、電圧Ｖｓを電圧Ｖ２に昇圧するように制御し（図２のｂ−ｃ１）、レギュレータ２２はオンする。このときマイクロコンピュータ２１とＩＲＥＤ２６とは所定電圧Ｖ２で動作し、測距回路２３と測光回路２４とは電圧Ｖ３（たとえば４．８Ｖ）で動作する。その後ノイズの影響を軽減するために、昇圧クロックを停止してコンデンサ１４に蓄積された電荷だけでマイクロコンピュータ２１を動作させる。
　【００１６】
　昇圧停止後所定時間Ｔ２を経過すると（図２のｃ１−ｄ１）、マイクロコンピュータ２１は測距回路２３に制御信号を送り、ＩＲＥＤ２６を時間丁３にわたってパルス駆動させる（図２のｄ１−ｅ１）。このときコンデンサ１４の電荷がＩＲＥＤ２６の発光および測距回路２３回路の負荷電流として使われるため、電圧Ｖｓは電圧Ｖ２から次第に降下する。しかしレギュレータ２２によって制御されているため、測距回路２３および測光回路２４には安定した電圧Ｖ３が供給され、ノイズの影響を軽減できる。
　【００１７】
　図２のｃ１からｅ１までの投光動作がｎ回繰り返して測距を終えると（図２のｅｎ）、マイクロコンピュータ２１はコンパレータ１５に電圧Ｖ１を出力し、この間に距離信号から被写体までの距離を算出する（図２のｆ）。そして時間Ｔ４だけ待機し電圧Ｖｓが安定すると、マイクロコンピュータ２１は測光回路２４を制御して時間Ｔ５にわたって測光を行う（図２のｆ−ｇ）。測光が終了するとレギュレー夕２２をオフし、測距回路２３および測光回路２４への通電を断つ。
　【００１８】
　本発明の他の実施例として、図３のようにレギュレータ２２自体の電源制御とは別に出力部にスイッチＳａを設け、マイクロコンピュータ２１からの信号により制御することもできる。レギュレータ２２の出力にはコンデンサＣａが接続される。この場合の図２のタイミングチャートのｄ１からｅ１までを拡大した図を図４に示す。
　【００１９】
　ＩＲＥＤ２６の駆動に先立ってマイクロコンピュータ２１はスイッチＳａをオフする（図４のａ）。これによってレギュレータ２２の出力は遮断され、測距回路２３および測光回路２４の電源はコンデンサＣａが供給する。続いてＩＲＥＤ２６が駆動されると（図４のｂ）、電圧Ｖｓはわずかに下がるが、電圧Ｖａは電圧Ｖｓと電気的に独立しているため変動は小さい。図４のＡはスイッチＳａがオフした場合、ＢはスイッチＳａがオンした場合のレギュレータ２２の出力電圧Ｖａの変動を示している。ＩＲＥＤ２６の発光を終えると（図４の。）、マイクロコンピュータ２１はスイッチＳａをオンし、測距回路２３と測光回路２４への電源供給を再開する（図４のｄ）。図４のａからｄまでの動作をＩＲＥＤ２６が発光するたびに繰り返す。
　【００２０】
　【発明の効果】
　デジタル回路とアナログ回路
（測距回路）
（測距回路）
　【００２１】
　さらに第２実施例においては、デジタル回路の電源が大きく変動する場合に、アナログ回路部への電源供給を断ってしまうように構成したので、このような場合においてもアナログ回路への影響を最小限にとどめることができる。
【図面の簡単な説明】
　【図１】
　本発明の一実施例を示すブロック図である。
　【図２】
　本発明の実施例のタイミングチャートである。
　【図３】
　図１の２２の内部の回路を示すブロック図である。
　【図４】
　図２のタイミングチャートの部分的な拡大図である。
　【符号の説明】
　２０　ＩＣ
　２１　マイクロコンピュータ（デジタル回路）
　２２　レギュレータ
　２３、２４　測距回路、測光回路（アナログ回路）